(57)【特許請求の範囲】
【請求項１】
カードを挿入するときに載せる挿入ガイド基部と、該挿入ガイド基部に連ねて形成され、前記カードを挿入するカード挿入スリットと、該カード挿入スリットの奥に配置されて、収納位置に達した前記カードの先端が当接するカード規制リブとを備えたカードホルダにおいて、
前記カード挿入スリットに入ることが可能で、且つ、前記カードに比べ、厚く、面の面積が小さい板状異物を前記カード挿入スリットから前記カード規制リブ側へ落下させないように前記カード挿入スリットの奥に形成されている板状異物落下規制手段を備え、
前記カード挿入スリットは、前記挿入ガイド基部を平面視したときに、最長直線部が、前記板状異物の幅よりも小さく、
前記板状異物落下規制手段は、前記カード挿入スリットから入った前記板状異物の押し込まれ量を規制する押し込まれ量規制手段と、該押し込まれ量規制手段に連なり、前記カード挿入スリットから前記挿入ガイド基部にほぼ平行に入った前記板状異物の平行移動を規制する平行姿勢規制手段とからなり、
前記板状異物が挿入ガイド基部に載り、前記カード挿入スリット入った際、この板状異物が傾き、傾いた板状異物の周部が板状異物落下規制手段を構成する前記平行姿勢規制手段、前記押し込まれ量規制手段に当接することで、この板状異物が挿入スリット中に入り込むのを防止するように構成した、
ことを特徴とするカードホルダ。
【請求項２】
前記板状異物はコインであることを特徴とする請求項１記載のカードホルダ。
【発明の詳細な説明】
【技術分野】
【０００１】
本発明は、金融機関で採用しているカードとほぼ同じ大きさのカードを収納するカードホルダに関するものである。
【背景技術】
【０００２】
カードホルダには、コインの挿入を防ぐようにしたものがある（例えば、特許文献１参照。）。
また、カードホルダ機能付コインケースがあり、カードホルダ部とコインケース部をそれぞれ上段・下段に配置している（例えば、特許文献２参照。）。
【特許文献１】実開平７−３３１２１号公報（第２頁、図７）
【特許文献２】特開平１０−２１７８６０号公報（第４頁、図３）
【０００３】
特許文献１を次図に基づいて説明する。
図１１は、従来の技術（特許文献１）を説明する図であり、従来のカードホルダ２０１では、挿入口２０２にコイン２０３が落下すると、誘いガイド板２０４のテーパー面に当たり、傾いた状態となり、立面壁２０５に凸状に形成されたコイン係止用の段部２０６に引っ掛かるので、挿入口２０２の付近で確実に係止されるというものである。
【０００４】
しかし、特許文献１のカードホルダ２０１では、コイン２０３に力を加えると、誘いガイド板２０４が弾性変形して、コイン２０３がコイン係止用の段部２０６から外れるおそれがある。特に、子供が、コイン２０３を起こすようにこじると、誘いガイド板２０４がたわみ、隙間が大きくなり、コイン２０３を押し込むおそれがあるという問題がある。
【０００５】
また、特許文献２のカードホルダ機能付コインケースでは、上段のカードホルダ部にコインが挿入されるおそれがあるという問題がある。例えば、縦に配置すると、コインの挿入はさらに容易になる。
【発明の開示】
【発明が解決しようとする課題】
【０００６】
本発明は、カードを挿入するカード挿入スリットに誤ってコインを落としてしまっても、コインがカード挿入スリットから中に入り込まず、指でカード挿入スリットにコインを挿入しても中に入り込まないカードホルダを提供することを課題とする。
【課題を解決するための手段】
【０００７】
請求項１に係る発明は、カードを挿入するときに載せる挿入ガイド基部と、該挿入ガイド基部に連ねて形成され、カードを挿入するカード挿入スリットと、該カード挿入スリットの奥に配置されて、収納位置に達した前記カードの先端が当接するカード規制リブとを備えたカードホルダにおいて、カード挿入スリットに入ることが可能で、且つ、カードに比べ、厚く、面の面積が小さい板状異物をカード挿入スリットからカード規制リブ側へ落下させないようにカード挿入スリットの奥に形成されている板状異物落下規制手段を備え、カード挿入スリットは、挿入ガイド基部を平面視したときに、最長直線部が、板状異物の幅よりも小さく、板状異物落下規制手段は、カード挿入スリットから入った板状異物の押し込まれ量を規制する押し込まれ量規制手段と、該押し込まれ量規制手段に連なり、カード挿入スリットから挿入ガイド基部にほぼ平行に入った板状異物の平行移動を規制する平行姿勢規制手段とからなり、板状異物が挿入ガイド基部に載り、カード挿入スリット入った際、この板状異物が傾き、傾いた板状異物の周部が板状異物落下規制手段を構成する平行姿勢規制手段、押し込まれ量規制手段に当接することで、この板状異物が挿入スリット中に入り込むのを防止するように構成したことを特徴とする。
【０００８】
請求項２に係る発明は、板状異物はコインであることを特徴とする。
【発明の効果】
【００１０】
請求項１に係る発明では、まず、カード挿入スリットに入ることが可能で、且つ、カードに比べ、厚く、面の面積が小さい板状異物をカード挿入スリットからカード規制リブ側へ落下させないようにカード挿入スリットの奥に形成されている板状異物落下規制手段を備えているので、カード挿入スリットから板状異物（例えばコイン）が入ると、入り込んだ部分が自身の重心によって、下方に下がり、傾き、下がった板状異物（コイン）の周部が板状異物落下規制手段に当接する。その結果、当接している周部から１８０°の位置のカード挿入スリット上の周部側はカード挿入スリットに残り、落下しない。従って、カードを挿入するカード挿入スリットに誤って板状異物（コイン）を落としてしまっても、板状異物（コイン）がカード挿入スリットから中に入り込まず、入り込むのを防止することができるという利点がある。
【００１１】
また本発明では、カード挿入スリットは、挿入ガイド基部を平面視したときに、最長直線部が、板状異物の幅よりも小さいので、カード挿入スリットに、挿入ガイド基部に直交するように（挿入ガイド基部が水平な場合には鉛直方向に）板状異物を押し込んでも、最長直線部の両端部に板状異物の幅をなす縁が干渉して、板状異物はカード挿入スリットを通過しない。従って、板状異物（コイン）の入り込みを防止することができるという利点がある。
【００１２】
さらに本発明では、板状異物落下規制手段は、カード挿入スリットから入った板状異物の押し込まれ量を規制する押し込まれ量規制手段と、押し込まれ量規制手段に連なり、カード挿入スリットから挿入ガイド基部にほぼ平行に入った板状異物の平行移動を規制する平行姿勢規制手段と、からなるので、カード挿入スリットから板状異物（例えばコイン）が入ると、入り込んだ部分が自身の重心によって、下方に下がり、傾き、下がった板状異物（コイン）の周部が押し込まれ量規制手段に当接する。その結果、当接している周部から１８０°の位置のカード挿入スリット上の周部側はカード挿入スリットに残り、落下しない。従って、カードを挿入するカード挿入スリットに誤って板状異物（コイン）を落とした場合や、指でカード挿入スリットに板状異物（コイン）を挿入しても、板状異物（コイン）がカード挿入スリットから中に入り込まず、入り込むのを防止することができるという利点がある。
【００１３】
また、板状異物（コイン）を挿入ガイド基部に平行に滑らせ、若しくは滑らせるように横移動させてカード挿入スリットから押し込まれると、板状異物（コイン）の周部が平行姿勢規制手段に当接するので、板状異物（コイン）は入らない。従って、例えば指でカード挿入スリットに板状異物（コイン）を横移動させて挿入しても中に入り込まず、入り込むのを防止することができるという利点がある。
さらに、板状異物（コイン）が挿入ガイド基部に対し平行となることが規制され、板状異物落下規制手段上に乗り上げることがない。
特に本発明は、板状異物が挿入ガイド基部に載り、カード挿入スリット入った際、この板状異物が傾き、傾いた板状異物の周部が板状異物落下規制手段を構成する平行姿勢規制手段、押し込まれ量規制手段に当接することで、この板状異物が挿入スリット中に入り込むのを防止するように構成したので、板状異物が傾き、傾いた板状異物の周部が板状異物落下規制手段に当接することで、この板状異物が挿入スリット中に入り込むのを防止することができ、カードを挿入するカード挿入スリットに誤ってコインを落としてしまったとしても、コインがカード挿入スリットから中に入り込まず、入り込むのを防止することができる。
【発明を実施するための最良の形態】
【００１４】
本発明を実施するための最良の形態を添付図に基づいて以下に説明する。
図１（ａ）、（ｂ）は、本発明のカードホルダを採用している収納装置の概要説明図であり、（ａ）は前席の斜視図、（ｂ）は収納装置の開けた状態を示す斜視図である。
【００１５】
収納装置１１は、車両１２の助手席１３に設けられているグローブボックスであり、助手席１３側のインストルメントパネル１４の開口部１５に配置されて、蓋部１６を乗員Ｍの手前へ引き出すことで、開き、物が収納される。１７はインストルメントパネル１４の前方にエンジンを支持しているフロントボデーである。
【００１６】
インストルメントパネル１４は、乗員Ｍを包むように湾曲し、すなわち、助手席１３と運転席２１との間のセンタ部２２を車室２３の中央に向け（矢印ａ１の方向）膨出形成することで、湾曲させている。また、湾曲して、車室２３の中央に配置しているセンタコンソール２４に連なり、センタ部２２近傍が、例えば、助手席１３の座席２６に近く（距離Ｙ１）、左端部２７が座席２６から離れている（距離Ｙ２＞Ｙ１）。そして、インストルメントパネル１４の湾曲に一致する湾曲で蓋部１６が形成され、例えば、蓋部１６の一端３１から座席２６までの距離がＹｂ１、蓋部１６の他端３２から座席２６までの距離がＹｂ２（Ｙｂ２＞Ｙｂ１）で、蓋部１６の一端３１が乗員Ｍにも近い。
【００１７】
収納装置１１は、インストルメントパネル１４の開口部１５の開口下部３５に取付けたヒンジ機構（図に示していない）と、蓋部１６に連なるボックス部３８と、蓋部１６の内面に設けたカードホルダ４１と、を備える。
【００１８】
図２は、本発明のカードホルダを採用している収納装置の分解図である。
蓋部１６はまた、前側部５１と、前側部５１に一体的に掛止した内装蓋板５５と、これらの前側部５１と内装蓋板５５とで形成された中空部５６（図４参照）と、からなり、前側部５１にカードホルダ４１の挿入ガイド基部９１が形成され、内装蓋板５５にカードホルダ４１の板状異物落下規制手段９２が形成されている。
【００１９】
図３は、本発明のカードホルダの斜視図である。
カードホルダ４１は、カード９３を奥へ（矢印ｃ１の方向）入れることで、保管するもので、グローブボックス（収納装置）１１の蓋部１６の内側に配置されている。具体的には、前側部５１の端部９５に所望の深さで彫り込まれ、カード９３を挿入するときにカード９３の先端９６から中央までを載せて、挿入の案内をする挿入ガイド基部９１と、前側部５１の中央側に形成されている挿入ガイド基部９１の隅９７に開けられたカード挿入スリット１０１と、カード挿入スリット１０１に連なる内部に形成されているカード規制リブ１０２及び板状異物落下規制手段９２と、を備えている。
カード９３は、例えば、金融機関のカードや金融機関のカードと同等の大きさのカードで、幅Ｗｃ、厚さｔである。
【００２０】
挿入ガイド基部９１は、幅Ｗｃのカード９３より大きな幅を形成するように形成されたガイド側部１０４と、中央に形成された弾性押圧基部１０５を有する。
弾性押圧基部１０５は、挿入ガイド基部９１に一体に形成されて、挿入ガイド基部９１から張り出し、カード９３をカード挿入スリット１０１に含まれるカードクランプ縁部１０６に押し付ける弾性力を有する。
【００２１】
カード挿入スリット１０１は、挿入ガイド基部９１を平面視したときに、最長直線部（第１直線部）１０１ａの長さＬ１が、板状異物（コイン）１１４（図８参照）の幅（直径Ｄ）よりも小さい。そして、最長直線部（第１直線部）１０１ａに角（Ｒ部）を介して連ねた第２直線部１０１ｂと、挿入ガイド基部９１の幅の中心Ｃを対称軸線として第２直線部１０１ｂに対称な第３直線部１０１ｃと、最長直線部（第１直線部）１０１ａに対称な最長直線部（第４直線部）１０１ｄと、有する。
最長直線部（第１直線部）１０１ａの長さは、Ｌ１であり、長さＬ１は板状異物（コイン）１１４（図８参照）の幅（直径Ｄ）よりも小さい。
第２直線部１０１ｂの長さは、Ｌ２であり、長さＬ２は板状異物（コイン）１１４（図８参照）の幅（直径Ｄ）よりも小さい。幅Ｗｓはカード挿入スリット１０１の幅である。
【００２２】
図４は、図３の４−４線断面図である。
図５は、図３の５−５線断面図である。図３を併用して説明する。
蓋部１６は、既に述べた前側部５１、内装蓋板５５、中空部５６と、からなり、前側部５１には、カード規制リブ１０２が形成され、内装蓋板５５には、板状異物落下規制手段９２が形成されている。
なお、中空部５６は、奥へ向かって（矢印ｃ１の方向）厚さが漸減している。
【００２３】
板状異物落下規制手段９２は、押し込まれ量規制手段１０７と、平行姿勢規制手段１０８と、からなる。
平行姿勢規制手段１０８は、弾性押圧基部１０５の押圧面１１１とほぼ一致する位置に形成されている。
「押圧面１１１とほぼ一致する位置」とは、自由状態（カード無し）の押圧面１１１の位置Ｂに対して、距離Ｅだけ下げている。その結果、カード９３を挿入したときに、カード９３との干渉を防止することができる。
カード挿入スリット１０１はまた、高さＨで形成され、高さＨは、カード９３の厚さｔより大きく、板状異物（コイン）１１４の厚さｔｃ（図１０参照）より小さい。
なお、高さＨはカード９３の厚さ方向の幅（距離）でもある。
【００２４】
図６は、本発明のカードホルダが備えているカード挿入スリットの平面図であり、前側部５１を中空部５６から見た状態を示している。
カード挿入スリット１０１は、挿入ガイド基部９１や弾性押圧基部１０５を平面視（図６に示している状態に見える視点）したときに、幅Ｗｓで形成されている。
【００２５】
カード規制リブ１０２は、カード９３の幅方向（Ｘ軸方向）の移動を規制するストッパリブ部１１２を有している。
【００２６】
図７は、本発明のカードホルダが備えている板状異物落下規制手段の斜視図である。図４、図５を併用して説明する。
板状異物落下規制手段９２は、具体的には、弾性押圧基部１０５の縁に沿って開けられたカード挿入スリット１０１から所望の距離Ｊだけ離して、カード挿入スリット１０１に沿って立設され、前述したように、高さが押圧面１１１とほぼ一致している。すなわち、上端部の範囲Ａが平行姿勢規制手段１０８であり、残りが押し込まれ量規制手段１０７である。
【００２７】
距離Ｊは、カード９３とは異なる形状をなす板状異物１１４（図８参照）に基づいて設定されている。板状異物１１４はコインであり、１円硬貨である。すなわち、１円硬貨の外径Ｄが最も小さいので、１円硬貨を対象にし、距離Ｊを最小としている。
例えば、距離Ｊは、コイン（１円硬貨）の外径Ｄの約７０％である。
【００２８】
また、板状異物落下規制手段９２は、挿入ガイド基部９１のガイド側部１０４に平行に立設された横規制部１１５と、横規制部１１５に連ねて半径Ｒで立設している奥規制部１１６と、からなる。そして、半径Ｒの奥規制部１１６の中央にカード先端案内リブ１１７が形成されている。
カード先端案内リブ１１７は、弾性押圧基部１０５へ向けて形成した異物規制傾斜部１１８を有する。
【００２９】
次に、本発明のカードホルダの作用を説明する。
図８は、カードホルダのカードを支持する機構を説明する図である。
蓋部１６を開けると、蓋部１６の内側にカードホルダ４１の挿入ガイド基部９１が設けられているので、挿入ガイド基部９１にカード９３を矢印ｃ２のように入れ、カード挿入スリット１０１に挿入し始める。
【００３０】
図９は、図８の続きを説明する図である。図１、図５を併用して説明する。
カード挿入スリット１０１からカード９３を挿入して、奥に設けたカード規制リブ１０２にカード９３の先端９６が当接すると、収納位置に達したこととなり、カード９３の挿入は完了する。その際、カード９３が、ドア１２１へ向け（Ｘ軸方向）横移動した場合、カード規制リブ１０２のストッパリブ部１１２に当接するので、弾性押圧基部１０５からカード９３は外れず、弾性押圧基部１０５の弾性力を確実に付与することができ、カード９３を確実にクランプして保持することができる。
【００３１】
また、例えば、カード９３に力を加え過ぎたりして弾性押圧基部１０５のたわみが大きくなった場合、カード９３の先端９６がカード先端案内リブ１１７（図５参照）に支持されるので、カード９３がカード規制リブ１０２から外れるのを防止することができる。
さらに、弾性押圧基部１０５のたわみが大きい状態で挿入した場合、カード９３の先端９６がカード先端案内リブ１１７にガイドされるので、カード９３は干渉しない。従って、カード９３をカードホルダ４１に差し込み、保管することができる。
【００３２】
次に、板状異物（コイン）１１４との関係を説明する。
板状異物（コイン）１１４が矢印ｃ３のようにカード挿入スリット１０１に、挿入ガイド基部９１に直交するように（挿入ガイド基部９１が水平な場合には鉛直方向に）押し込まれても（又は落下しても）、最長直線部（第１直線部）１０１ａの端部１２４、１２５に板状異物（コイン）１１４の幅Ｄをなす縁が干渉して、板状異物（コイン）１１４はカード挿入スリット１０１を通過しない。従って、板状異物（コイン）１１４の入り込みを防止することができるという利点がある。
【００３３】
図１０は、カードホルダの板状異物の挿入規制の機構を説明する図である。図８を併用して説明する。
板状異物（コイン）１１４がカード９３のように平行に挿入ガイド基部９１や弾性押圧基部１０５に載り、カード挿入スリット１０１から矢印ｃ４のように入ると、板状異物（コイン）１１４は、自身の重心Ｇによって、二点鎖線で示しているように傾き、板状異物（コイン）１１４の周部１２２が板状異物落下規制手段９２に当接する、詳しくは、押し込まれ量規制手段１０７に当接するので、当接している周部１２２から１８０°の位置の周部１２２側は弾性押圧基部１０５に残り、落下しない。従って、カード９３を挿入するカード挿入スリット１０１に誤ってコイン１１４を落としてしまっても、コイン１１４がカード挿入スリット１０１から中に入り込まず、入り込むのを防止することができる。
【００３４】
なお、指で板状異物（コイン）１１４を二点鎖線で示しているように傾けても、コイン１１４がカード挿入スリット１０１から中に入り込まず、入り込むのを防止することができる。
【００３５】
また、指で板状異物（コイン）１１４を弾性押圧基部１０５に押し付けながら、横方向（Ｘ軸方向）に滑らせて、弾性押圧基部１０５に平行に横移動させてカード挿入スリット１０１から押し込むと、板状異物（コイン）１１４の周部１２２が板状異物落下規制手段９２に当接する、詳しくは、平行姿勢規制手段１０８に矢印ｃ５のように当接するので、板状異物（コイン）１１４は入らない。従って、指でカード挿入スリット１０１にコイン１１４を横移動させて挿入しても中に入り込まず、入り込むのを防止することができる。
【００３６】
さらに、板状異物（コイン）が挿入ガイド基部に対し平行となることが規制され、板状異物落下規制手段上に乗り上げることがない。
【００３７】
尚、本発明のカードホルダは、実施の形態ではグローブボックスの内側に採用したが、グローブボックスの内側に限定しない。
また、本発明のカードホルダは、カードを挿入するときは、ほぼ水平に配置されているが、水平に限定しない。例えば、インストルメントパネルやドアにほぼ垂直に設けられることも可能である。
本発明のカードホルダは、車両に採用されたが、車両以外にも採用可能である。
【産業上の利用可能性】
【００３８】
本発明のカードホルダは、車室に配置されて、コインの入り込みを防止するのに好適である。
【図面の簡単な説明】
【００３９】
【図１】本発明のカードホルダを採用している収納装置の概要説明図である。
【図２】本発明のカードホルダを採用している収納装置の分解図である。
【図３】本発明のカードホルダの斜視図である。
【図４】図３の４−４線断面図である。
【図５】図３の５−５線断面図である。図３を併用して説明する。
【図６】本発明のカードホルダが備えているカード挿入スリットの平面図である。
【図７】本発明のカードホルダが備えている板状異物落下規制手段の斜視図である。
【図８】カードホルダのカードを支持する機構を説明する図である。
【図９】図８の続きを説明する図である。
【図１０】カードホルダの板状異物の挿入規制の機構を説明する図である。
【図１１】従来の技術（特許文献１）を説明する図である。
【符号の説明】
【００４０】
４１…カードホルダ、９１…挿入ガイド基部、９２…板状異物落下規制手段、９３…カード、１０１…カード挿入スリット、１０２…カード規制リブ、１０７…押し込まれ量規制手段、１０８…平行姿勢規制手段、１０１ａ…最長直線部（第１直線部）、１０１ｄ…最長直線部（第４直線部）、１１４…板状異物（コイン）、Ｄ…板状異物の幅、Ｗｓ…カード挿入スリットの幅。
【図１】
0004980839.tif 000002
【図２】
0004980839.tif 000003
【図３】
0004980839.tif 000004
【図４】
0004980839.tif 000005
【図５】
0004980839.tif 000006
【図６】
0004980839.tif 000007
【図７】
0004980839.tif 000008
【図８】
0004980839.tif 000009
【図９】
0004980839.tif 000010
【図１０】
0004980839.tif 000011
【図１１】
0004980839.tif 000012